(57)【要約】【課題】特殊線を有害な変形等なく正確な長さで確実に分岐配索する。それに加えて特殊線を一般電線の外周の任意の位置に配索可能とする。【解決手段】布線治具本体２の電線受け部３の底部４に、特殊線配索溝５と、特殊線配索溝を覆う弾性の区画板７とを設けて、電線受け部内の一般電線群８の真下に特殊線配索溝内の特殊線が区画配置されるようにした布線治具１を採用する。一般電線挿通孔３４を有する分割式の環状のインナ治具２４と、インナ治具を周方向回動自在に保持する分割式のアウタ治具２３とを備え、インナ治具に、一般電線挿通孔に連通する特殊線配索溝３７と、特殊線配索溝を覆う弾性の区画板３８とを設け、インナ治具の回動操作で特殊線配索溝内の特殊線を一般電線挿通孔内の一般電線群の外周方向の任意の位置に配置可能とした布線治具２１を併せて採用する。【選択図】図１
2011198668.tif 000002
【特許請求の範囲】
【請求項１】
布線治具本体の電線受け部の底部に、特殊線配索溝と、該特殊線配索溝を覆う弾性の区画板とを設けて、該電線受け部内の一般電線群の真下に該特殊線配索溝内の特殊線が区画配置されるようにしたことを特徴とする布線治具。
【請求項２】
請求項１記載の布線治具１を用いたハーネス配索構造であって、前記一般電線群の真下に前記特殊線が配索され、該一般電線群が水平方向に屈曲した際に、該一般電線群の屈曲内側面と屈曲外側面との間で該特殊線が同方向に屈曲することを特徴とする布線治具を用いたハーネス配索構造。
【請求項３】
一般電線挿通孔を有する分割式の環状のインナ治具と、該インナ治具を周方向回動自在に保持する分割式のアウタ治具とを備え、該インナ治具に、該一般電線挿通孔に連通する特殊線配索溝と、該特殊線配索溝を覆う弾性の区画板とが設けられ、該インナ治具の回動操作で該特殊線配索溝内の特殊線を該一般電線挿通孔内の一般電線群の外周方向の任意の位置に配置可能としたことを特徴とする布線治具。
【請求項４】
請求項３記載の布線治具を用いたハーネス配索構造であって、前記一般電線群の真下又は真上に前記特殊線が配索され、該一般電線群が水平方向に屈曲した際に、該一般電線群の屈曲内側面と屈曲外側面との間で該特殊線が同方向に屈曲することを特徴とする布線治具を用いたハーネス配索構造。
【請求項５】
請求項３記載の布線治具を用いたハーネス配索構造であって、前記布線治具を少なくとも三つ並べて配置し、該三つのうちの少なくとも中間の布線治具の前記インナ治具を回動させて前記特殊線の長さ寸法誤差を吸収させることを特徴とする布線治具を用いたハーネス配索構造。
【請求項６】
前記特殊線配索溝から電線挿通方向に外向き湾曲状の特殊線ガイド部が突設されたことを特徴とする請求項１又は３記載の布線治具。
【請求項７】
前記アウタ治具が電線挿通方向に分離された一対の環状壁を備え、該一対の環状壁の内側に前記インナ治具が周方向回動自在に係合し、該一対の環状壁の間のスリット内に該インナ治具の一部が露出し、該露出したインナ治具部分に回動用と開閉用の操作レバーが設けられたことを特徴とする請求項３記載の布線治具。
【発明の詳細な説明】
【技術分野】
【０００１】
本発明は、布線板に複数本立設して、複数本の電線と特殊電線や光ファイバやホース等といった特殊線とを所要形状に配索させるための布線治具とそれを用いたハーネス配索構造に関するものである。
【背景技術】
【０００２】
図６（ａ）（ｂ）は、従来の布線治具とそれを用いたハーネス配索構造の一形態を示すものである（特許文献１参照）。
【０００３】
図６（ａ）の如く、この布線治具６１は、Ｕフォーク６２の中央において支柱６３の延長上に、特定電線６５を布線するための小さなＵフォーク状のサブ治具６４を設けたものである。サブ治具６４に、スピーカ用ツイスト線やバッテリと接続した電源線といった特定電線６５が配索（布線）され、特定電線６５の周囲を取り巻くように複数本の一般電線６６がＵフォーク６２に配索され、特定電線６５は複数本の一般電線６６のほぼ中央に位置する。
【０００４】
図６（ｂ）の如く、水平な布線板６７の所要部に複数の布線治具６１が配置固定され、各布線治具６１のサブ治具６４に特定電線６５が配索され、次いで一般電線６６が各布線治具６１に配索され、所要の布線治具６１において各電線６５，６６が９０°方向に屈曲分岐され、各電線６５，６６の端末に接続された端子（図示せず）がコネクタ６８内に挿入係止される。各電線６５，６６はテープ巻き（図示せず）で結束されて、コネクタ６８と共にワイヤハーネスを構成する。
【０００５】
上記以外の布線治具として、特許文献２には、特定電線用のサブ治具をＵフォーク状ではなく、上部に電線挿通用の開口を有する略環状としたものが記載され（図示せず）、特許文献３には、Ｕフォークの左右の支持杆に、特定電線ではなくウォッシャホースを布線するための凹部や枝部を形成したものが記載され（図示せず）、特許文献４には、Ｕ状フォークの一部にヒンジ式の電線押さえ用レバーを設けて、複数本の電線（電線群）を配索した後、回動レバーを回動式に閉じて電線群を押さえるようにしたものが記載されている（図示せず）。
【先行技術文献】
【特許文献】
【０００６】
【特許文献１】特開平７−１０５７５７号公報（図１，図３）
【特許文献２】特開平７−２４９３２５号公報（図１）
【特許文献３】特開平１０−２５５５６６号公報（図１，図３）
【特許文献４】特開平９−１４７６４４号公報（図１）
【発明の概要】
【発明が解決しようとする課題】
【０００７】
しかしながら、上記従来の特許文献１，２（図６）の布線治具６１にあっては、図７（平面図）にＵフォーク６９に各一般電線６６を布線した状態を示す如く、各電線６６が曲がり癖によって必ずしも真直に配索されるわけではないので、中央の特定電線６４が周囲の各電線６６の曲がり癖の影響を受けて、曲がって配索され、特定電線６４の長さが規定よりも短縮されてしまうといった懸念があった。
【０００８】
また、上記従来の特許文献３の布線治具にあっては、複数本の電線（電線群）の左右何れかの一側部にウォッシャホースを配索するために、例えば布線治具において電線とウォッシャホースを同方向に屈曲・分岐させた場合に、ウォッシャホースが電線に押されて又は引っ張られて潰れを生じ、ウォッシャホースの機能が低下し兼ねないという懸念があった。
【０００９】
また、上記従来の特許文献４の布線治具にあっては、電線押さえ用レバーを閉じた際に、Ｕ状フォークと電線押さえ用レバーとで囲まれた電線挿通空間がいびつ（歪）になって、電線群が変形しやすいと共に、電線群に特定電線やウォッシャホース等といった特殊線を配索する場合に、特殊線が電線押さえ用レバーで押されて変形し兼ねないという懸念があった。
【００１０】
本発明は、上記した点に鑑み、同軸電線やツイスト電線やチューブ（ホース）や光ファイバやトランクケーブル等のワイヤロープ等といった特殊線を、一般電線の曲がり癖等の影響を受けることなく、且つ分岐部において一般電線の押圧等による過度な曲げ力を受けることなく、有害な変形等なく、正確な長さで確実に配索することのできる布線治具とそれを用いたハーネス配索構造を提供することを第一の目的とし、それに加えて、特殊線を一般電線の外周の任意（所要）の位置に配索することのできる布線治具とそれを用いたハーネス配索構造を提供することを第二の目的とする。
【課題を解決するための手段】
【００１１】
上記目的を達成するために、本発明の請求項１に係る布線治具は、布線治具本体の電線受け部の底部に、特殊線配索溝と、該特殊線配索溝を覆う弾性の区画板とを設けて、該電線受け部内の一般電線群の真下に該特殊線配索溝内の特殊線が区画配置されるようにしたことを特徴とする。
【００１２】
上記構成により、弾性の区画板を上向きに撓ませ開いて特殊線配索溝内に特殊線を配索し、区画板は弾性的に復元して特殊線配索溝を塞ぎ（閉じ）、区画板の上から電線受け部内に一般電線を配索し、区画板で特殊線が一般電線とは非接触に区画される。特殊線を一般電線群にテープ巻き等で固定した後、一般電線群と共に受け部から持ち上げることで、特殊線が区画板を付勢力に抗して開いて特殊線配索溝からスムーズに離脱する。一般電線群の外周において一般電線群の真下に特殊線が配置されることで、電線受け部上において、又は電線受け部から電線群を取り外した後に、一般電線を水平方向（左又は右、横方向）に屈曲させた際に、特殊線が一般電線群の屈曲半径と同等ないしそれ以上の大きな半径で屈曲して、特殊線の曲げ応力が小さく抑えられる。
【００１３】
請求項２に係る布線治具を用いたハーネス配索構造は、請求項１記載の布線治具を用いたハーネス配索構造であって、前記一般電線群の真下に前記特殊線が配索され、該一般電線群が水平方向に屈曲した際に、該一般電線群の屈曲内側面と屈曲外側面との間で該特殊線が同方向に屈曲することを特徴とする。
【００１４】
上記構成により、電線受け部上で特殊線を分岐させるべく、又は電線受け部から電線群を取り外してワイヤハーネスとして車両等の取付側へ配索する際に、一般電線群を水平方向（左又は右）に屈曲させた際に、特殊線が一般電線群の屈曲半径と同等ないしそれ以上の大きな半径で屈曲して、特殊線の曲げ応力が小さく抑えられる。
【００１５】
請求項３に係る布線治具は、一般電線挿通孔を有する分割式の環状のインナ治具と、該インナ治具を周方向回動自在に保持する分割式のアウタ治具とを備え、該インナ治具に、該一般電線挿通孔に連通する特殊線配索溝と、該特殊線配索溝を覆う弾性の区画板とが設けられ、該インナ治具の回動操作で該特殊線配索溝内の特殊線を該一般電線挿通孔内の一般電線群の外周方向の任意の位置に配置可能としたことを特徴とする。
【００１６】
上記構成により、特殊線配索溝をインナ治具（電線受け部材）の底部側に位置させた状態で、弾性の区画板を上向きに撓ませ開いて特殊線配索溝内に特殊線を配索し、区画板は弾性的に復元して特殊線配索溝を塞ぎ（閉じ）、区画板の上から電線受け部内に一般電線を配索して、特殊線が一般電線とは非接触に区画される。一般電線の配索後にインナ治具を外側のアウタ治具の内周面と内側の一般電線群の外周面とに沿って所望の角度で周方向に回動させることで、特殊線配索溝内の特殊線が一般電線群の外周の所望の位置に配置される。一般電線はインナ治具の電線挿通孔内に配索されるから、押圧等の有害な変形を受ける心配がない。アウタ治具は、布線板への固定用の支柱に固定されることが好ましい。
【００１７】
区画板は特殊線配索溝からの特殊線の径方向の離脱を阻止する。特殊線を一般電線群にテープ巻き等で固定した後、一般電線群と共に受け部から持ち上げることで、特殊線が区画板を付勢力に抗して開いて特殊線配索溝からスムーズに離脱する。電線受け部上で特殊線を分岐（屈曲）させないで一般電線群と共に真直に配索する場合は、インナ治具の回動で特殊線を一般電線群の外周において上下左右等の３６０°の範囲で所望の位置に配索可能である。電線受け部上で特殊線を分岐（屈曲）させる場合は、特殊線配索溝が鉛直線上で下又は上に位置するようにインナ治具を１８０°回動させて、一般電線群の真下又は真上に特殊線を配置する。
【００１８】
請求項４に係る布線治具を用いたハーネス配索構造は、請求項３記載の布線治具を用いたハーネス配索構造であって、前記一般電線群の真下又は真上に前記特殊線が配索され、該一般電線群が水平方向に屈曲した際に、該一般電線群の屈曲内側面と屈曲外側面との間で該特殊線が同方向に屈曲することを特徴とする。
【００１９】
上記構成により、インナ治具上で特殊線を分岐させるべく、又はインナ治具から電線群を取り外してワイヤハーネスとして車両等の取付側へ配索する際に、一般電線群を水平方向（左又は右）に屈曲させた際に、真下又は真上の特殊線が一般電線群の屈曲半径と同等ないしそれ以上の大きな半径で屈曲して、特殊線の曲げ応力が小さく抑えられる。
【００２０】
請求項５に係る布線治具を用いたハーネス配索構造は、請求項３記載の布線治具を用いたハーネス配索構造であって、前記布線治具を少なくとも三つ並べて配置し、該三つのうちの少なくとも中間の布線治具の前記インナ治具を回動させて前記特殊線の長さ寸法誤差を吸収させることを特徴とする。
【００２１】
上記構成により、例えば三つの布線治具を直線上に並べた場合に、各インナ治具の特殊線配索溝を直線上に配置することで、特殊線の配索長さが最短となり、その状態から中間のインナ治具を適宜角度で回動させて特殊線を折れ線上に配索することで、特殊線の配索長さが長くなる。このようにして特殊線の切断長さ寸法誤差を吸収可能となる（規定よりも切断長さが短いものは上記配索長さが最短となる配索で対応し、切断長さが長いものは上記配索長さが長くなる配索で対応する）。三つの布線治具は直線上に限らず折れ線上に配置した場合でも、各インナ部材を適宜角度で回動させることで、特殊線の切断長さ寸法誤差を吸収可能となる。
【００２２】
請求項６に係る布線治具は、請求項１又は３記載の布線治具において、前記特殊線配索溝から電線挿通方向に外向き湾曲状の特殊線ガイド部が突設されたことを特徴とする。
【００２３】
上記構成により、特殊線配索溝内に配置された特殊線が分岐（屈曲）される際に、特殊線ガイド部に沿って大きな半径（特殊線ガイド部がない時よりも大きな半径）で屈曲し、特殊線の曲げ応力が軽減される。特殊線ガイド部の形態は、特殊線配索溝から外向き湾曲状に延びる湾曲面を有したものであれば、板状でもブロック状でも水平な底面を有したものでも特殊線配索溝を一体に有したものでも何でもよい。
【００２４】
請求項７に係る布線治具は、請求項３記載の布線治具において、前記アウタ治具が電線挿通方向に分離された一対の環状壁を備え、該一対の環状壁の内側に前記インナ治具が周方向回動自在に係合し、該一対の環状壁の間のスリット内に該インナ治具の一部が露出し、該露出したインナ治具部分に回動用と開閉用の操作レバーが設けられたことを特徴とする。
【００２５】
上記構成により、インナ治具回動用の一対の操作レバーがアウタ治具のスリットから外部に突出し、作業者が操作レバーの操作でインナ治具をスムーズに回動可能となる。操作レバーはインナ治具の分割面を境に一対設けることが好ましい。この場合、一対の操作レバーを離間する方向に移動させて、インナ治具を分割面から開き、一対の操作レバーを同時に同方向に移動させて、インナ治具を回動させる。アウタ治具には一対の環状壁を連結する開閉用の操作レバーをインナ治具の操作レバーよりも長く突出して設けることが好ましい。
【発明の効果】
【００２６】
請求項１記載の発明によれば、電線受け部の特殊線配索溝内に配索した特殊線を区画板で覆って一般電線とは区画することで、一般電線の曲がり癖や押圧等の影響なく、特殊線を規定の長さで真直に配索することができる。また、特殊線配索溝を電線受け部の底部に設けて、特殊線を一般電線群の真下に配置したことで、電線受け部において特殊線を一般電線と同方向に分岐（屈曲）した際に、一般電線群と特殊線との屈曲半径を同等として、特殊線を正確な長さで分岐することができると共に、特殊線に過大な曲げ応力を作用させずに、特殊線の機能を確実に発揮させることができる。また、一般電線群と共に特殊線を電線受け部から取り外す際に、特殊線が区画板をばね付勢に抗して撓ませることで、特殊線配索溝から特殊線を簡単に且つスムーズで確実に取り出すことができる。
【００２７】
請求項２記載の発明によれば、電線受け部において特殊線を一般電線と同方向に分岐（屈曲）した際に、一般電線群と特殊線との屈曲半径を同等として、特殊線を正確な長さで分岐することができる。また、電線受け部から電線群と特殊線を外して車両等に屈曲配索する際に、一般電線群と特殊線との屈曲半径を同等として、特殊線に過大な曲げ応力を作用させずに、特殊線の機能を確実に発揮させることができる。
【００２８】
請求項３記載の発明によれば、インナ治具の特殊線配索溝内に配索した特殊線を区画板で覆って一般電線とは区画することで、一般電線の曲がり癖や押圧等の影響なく、特殊線を規定の長さで真直に配索することができる。また、インナ部材を回動させて、特殊線配索溝内の特殊線を一般電線群の外周の所望の位置に簡単且つ確実に配置することができる。例えば、特殊線を一般電線群と共に真直に配索する場合に、一般電線群の外周のどの位置に特殊線を配置するかという設計的な特殊線の配置を容易に満足させることができる。
【００２９】
また、特殊線を一般電線群の真下又は真上に配置することで、インナ部材において特殊線を一般電線と同方向に分岐（屈曲）した際に、一般電線群と特殊線との屈曲半径を同等として、特殊線を正確な長さで分岐することができると共に、特殊線に過大な曲げ応力を作用させずに、特殊線の機能を確実に発揮させることができる。また、分割式のインナ部材を開いて一般電線群と共に特殊線を取り外す際に、特殊線が区画板をばね付勢に抗して撓ませることで、特殊線配索溝から特殊線を簡単に且つスムーズで確実に取り出すことができる。また、一般電線はインナ治具の電線挿通孔内に配索されるので、過大な押圧やそれに伴う有害な変形等を受けることがない。
【００３０】
請求項４記載の発明によれば、インナ治具において真下又は真上の特殊線を一般電線と同方向に分岐（屈曲）した際に、一般電線群と特殊線との屈曲半径を同等として、特殊線を正確な長さで分岐することができる。また、電線受け部から電線群と真下又は真上の特殊線を外して車両等に屈曲配索する際に、一般電線群と特殊線との屈曲半径を同等として、特殊線に過大な曲げ応力を作用させずに、特殊線の機能を確実に発揮させることができる。
【００３１】
請求項５記載の発明によれば、三つの布線治具のうちの少なくとも中間の布線治具のインナ治具を適宜角度で回動させて、特殊線の配索経路を上下左右等に変えることで、特殊線の切断寸法誤差を吸収し、これにより、特殊線の端末位置を正確に規定して、特殊線の機能を確実に発揮させることができる。
【００３２】
請求項６記載の発明によれば、特殊線を分岐させる際に、特殊線ガイド部の湾曲面に沿って特殊線を大きな半径で屈曲させることで、特殊線の曲げ応力を軽減させて、特殊線の有害な変形や傷みや摺動抵抗の増大等を防止して、特殊線の機能を確実に発揮させることができる。
【００３３】
請求項７記載の発明によれば、インナ治具の回動操作や開閉操作を一般電線や特殊線の邪魔になることなく省スペースでスムーズに行うことができる。
【図面の簡単な説明】
【００３４】
【図１】本発明に係る布線治具の一実施形態を示す、（ａ）は平面図、（ｂ）は一部を断面とした正面図、（ｃ）は（ｂ）の要部拡大図である。
【図２】布線治具を用いたハーネス配索構造の一形態を示す、（ａ）は平面図、（ｂ）は（ａ）のＡ−Ａ視断面図である。
【図３】（ａ）は図２の実線で示す特殊線の屈曲形態の平面図、（ｂ）は図２の鎖線で示す特殊線の屈曲形態を示す平面図である。
【図４】本発明に係る布線治具の他の実施形態を示す、（ａ）は平面図、（ｂ）は側面図、（ｃ）は正面図である。
【図５】同じく布線治具を示す、（ａ）は図４（ａ）のＢ−Ｂ線断面図、（ｂ）は同じくＣ−Ｃ線断面図である。
【図６】（ａ）は従来の布線治具の一形態を示す正面図、（ｂ）は同じく布線治具を用いたハーネス配索構造を示す斜視図である。
【図７】従来の布線治具による電線配索の一問題点を示す平面図である。
【発明を実施するための形態】
【００３５】
図１（ａ）〜（ｃ）は、本発明に係る布線治具の一実施形態を示すものである。図１（ａ）は布線治具の平面図、図１（ｂ）は同じく一部を断面とした正面図、図１（ｃ）は図１（ｂ）の要部拡大図である。
【００３６】
この布線治具１は、図１（ｂ）の如くＵフォーク状の布線治具本体２と、布線治具本体２のＵ字状の電線受け部３の底部４に形成された特殊線配索溝５と、特殊線配索溝５を覆ってＵ字状の電線受け部３内の電線挿通空間６から区画分離する薄板ばね状の開閉自在な区画板７と、図１（ａ）の如く特殊線配索溝５から特殊線（図示せず）の配索（分岐）方向に突出した外向き湾曲状の左右一対の特殊線ガイド板４３とを備えるものである。
【００３７】
布線治具本体２は既存のＵフォークであり、金属製の上半のＵ字状の電線受け部３と下半の垂直な支柱９と、支柱９の中間部に固定された鍔部１０とを備え、支柱９は、鍔部１０よりも下側において雄ねじ部１１を有し、水平な布線板１２の孔部１２ａに環状スペーサ１３を介して裏側のワッシャ１４とナット１５で締付固定される。布線板１２と支柱９とは直交しており、布線板１２を傾斜させて配置した場合は支柱９も斜めに傾倒する。
【００３８】
上半の電線受け部３は、左右一対の杆状の垂直な真直部３ａと、左右の真直部３ａを連結した底部４側の湾曲部３ｂとで成り、湾曲部３ｂの中央すなわち支柱９の延長軸線上の底部４に特殊線配索溝５が上から下に掘り下げて、且つ前後（電線配索方向）に貫通して設けられている。
【００３９】
本例の特殊線配索溝５は、図１（ｃ）の水平な底面５ａと垂直な左右の側面５ｂとで囲まれて凹字状に構成され、挿通させる特殊線の外径と同等ないしそれ以上の深さを有している。水平な底面５ａを湾曲状に形成することも可能である。本例の電線受け部３の真直部３ａは図１（ａ）の如く横断面長円形であり、湾曲部３ｂも同様であるが、これらを断面円形や矩形状（エッジは除去する）とすることも可能である。
【００４０】
特殊線配索溝５の上側とその左右の近傍で湾曲部３ｂの上面に沿って弾性の区画板７が下向き湾曲状に配設されている。区画板７の基端部７ａ（図１（ｃ））に前後一対のＬ字板状のブラケット１６が下向きに一体に設けられ、各ブラケット１６の各底板１６ａが重なった状態でビス１７で右側の湾曲部３ｂの下面に締付固定されている。ブラケット１６は前側又は後側の一方のみでもよい。
【００４１】
ブラケット１６から特殊線配索溝５の右端５ｂまでの間に区画板７の基部側部分７ｂが撓み自在に配置され、区画板７の長手方向中間部分７ｃが特殊線配索溝５の上に湾曲状に配置され、区画板７の先端部（自由端部）７ｄが左側の湾曲部３ｂの上面に接し、先端部７ｄの先端部分は上向きに屈曲されて開き操作部７ｄ’となっている。
【００４２】
ハーネス配索作業者が開き操作部７ｄ’を図１（ｃ）の矢印の如く手指等で持ち上げて、ブラケット１６を支点に区画板７を上向きに開いた（撓ませた）状態で、特殊線を特殊線配索溝５内に水平に配索し、区画板７から手指等を離すことで、区画板７が自身の弾性で復元して特殊線配索溝５を自動的に閉じる。特殊線は湾曲部３ｂの上面に沿って下向きにスライドさせつつ特殊線配索溝５内にスムーズに挿入させることができる。
【００４３】
区画板７の材質は薄板金属材であることが好ましい。特殊線は、前述の如く同軸電線やツイスト電線やチューブ（ホース）や光ファイバやトランクケーブル等のワイヤロープ等といった類のものを適用可能である。
【００４４】
閉じた区画板７の上から電線受け部３内に図１（ｃ）の鎖線の如く複数本の一般電線８ａが一本ずつ配索される。特殊線配索溝５内の特殊線の上側に一般電線群８が位置し、特殊線の中心と電線群８の中心とはほぼ鉛直方向の同一線上に位置する（電線群８の真下に特殊線が位置する）。その状態でテープ巻きやバンド締め等で電線群８と特殊線が結束され、作業者が布線治具１から電線群８を持ち上げることで、特殊線が区画板７を上向きに撓ませつつ押しのけて電線群８と一体に布線治具１から取り出される。区画板７は弾性的に下向きに復元して特殊線配索溝５を閉じる。
【００４５】
布線板１２上における電線群８の屈曲方向すなわち布線板上の各布線治具１への配索分岐方向は水平方向であり、特殊線は電線群８の屈曲方向に対して９０°方向（鉛直方向）下向きに位置する。電線群８には係止クリップやグロメットやプロテクタ等といった部品が装着されるが、少なくとも電線群８と特殊線とでワイヤハーネス（組電線）が構成される。
【００４６】
特殊線を電線群８の内部に組み込まないことで、各電線８ａの曲がり癖の影響を受けることなく、特殊線が真直に正確な長さで配索される。特殊線を電線群８の外周に沿わせただけでは、各電線８ａの曲がり癖の影響をうけやすいが、区画板７で電線群とは区画することで、曲がり癖の影響が確実に防止される。また、特殊線を常に同一箇所（電線群８の下側）に配索することで、特殊線を分岐した際の分岐長さが常に一定に安定して保たれる。
【００４７】
また、特殊線配索溝５から前後方向に左右一対の特殊線ガイド板（ガイド部）４３が水平に突出して設けられ、特殊線配索溝５の左右の内端面５ｂが各特殊線ガイド板４３の湾曲状の内面と同一面に位置し、又は各特殊線ガイド板４３の中央の真直な内面が特殊線配索溝５の左右の内端面５ｂを成し（兼ね）ている。
【００４８】
例えば、金属製の左右一対の特殊線ガイド板４３の中央の真直部分（符号５ｂで代用）が特殊線配索溝５の左右端に嵌め込まれて、ハンダ付けや接着やねじ止め等で固定されている。あるいは前後左右の四つの湾曲状の特殊線ガイド板４３の基端が電線受け部３の底部４の前後の端面にハンダ付け等で固定されている。あるいは、特殊線ガイド板４３が特殊線配索溝５の底面５ａに沿う底板を一体に有し、底板が底面５ａにハンダ付け等で固定され、底板に続く左右の特殊線ガイド板本体４３が特殊線配索溝５から前後に湾曲状に突出している（この構造が電線受け部３への組付性に優れる）。
【００４９】
何れにおいても、特殊線ガイド板４３は前方と後方とにそれぞれ突出した１／４円状の湾曲部分４３ａ（図１（ａ））を有している。各湾曲部分４３ａの先端４３ｂは電線受け部３の垂直な杆部３ａの外径よりも外側に少し長く突出している。本例の特殊線ガイド板４３は特殊線配索溝５の深さと同等の幅狭の縦幅寸法を有しているが、特殊線ガイド板４３を下方に延長して幅広の縦幅寸法のものとすることも可能である。
【００５０】
また、左右の特殊線ガイド板４３を連結する略扇状の水平な底壁（図示せず）を設けて、底壁で特殊線を支持しつつ特殊線ガイド板４３に沿って屈曲させることも可能である。また、特殊線受け部３の前側又は後側のみに特殊線ガイド板４３（左右一対の湾曲部分４３ａ）を設けることも可能であり、特殊線受け部３の右側又は左側のみに特殊線ガイド板４３（前後一対の湾曲部分４３ａ）を設けることも可能である。
【００５１】
特殊線配索溝５内に真直に配索された特殊線は特殊線ガイド板４３の湾曲部４３ａに接触することはないが、布線治具１において特殊線を分岐する場合に、特殊線が特殊線ガイド板４３の湾曲部４３ａの内面に沿って大きな半径で滑らかに屈曲されて、特殊線の曲げ応力が低く抑えられる。
【００５２】
これにより、特殊線としての例えば同軸線では導電性の編組線の偏りが防止されて、電磁シールドが良好に行われ、ツイスト線では絶縁被覆等の傷みが防止されて、ノイズ防止が確実に行われ、光ケーブルでは断線や変形が防止されて、光通信が正確に行われ、チューブでは内径部の狭窄が防止されて、気体や液体の流通が良好に行われ、ワイヤロープでは摩擦抵抗の増大が防止されて、車両のトランク等の開閉がスムーズに行われる。
【００５３】
なお、図１の実施形態のＵフォーク状の布線治具本体１に代えて、Ｕ字状の電線受け部３を左右一対連結したＷ字状の電線受け部（図示せず）を有するＷフォーク状の布線治具本体を用い、この左及び／又は右のＵ字状の電線受け部３に特殊線配索溝５と区画板７とを設けることも可能である。また、Ｕ字状の電線受け部３に代えて、環状でヒンジを支点に開閉自在な上下分割式の電線受け部（図示せず）を用いることも可能である。
【００５４】
また、図１の実施形態において、特殊線ガイド部として、特殊線ガイド板４３の厚みを増して、内側のみに湾曲面を有する（外側は真直でもよい）特殊線ガイドブロック等を用いることも可能である。
【００５５】
図２（ａ）（ｂ）は、上記布線治具１を用いたハーネス配索構造の一形態を示すものである。
【００５６】
図２（ａ）の例の如く複数本の電線８ａ（電線群８）をＴ字状に配索する場合は、布線治具１は例えば電線群８の交差部８ｂに斜めに配置され、布線治具１の電線受け部３の中央を通って特殊線１９が９０°方向に屈曲して配索されて、電線受け部３の前後でテープ巻き２０等で結束される。
【００５７】
図２（ｂ）の如く、本例において特殊線１９は電線群８の上下に各一本ずつ配索されている。下側の特殊線１９は電線受け部３の特殊線配索溝５（図１）に布線され、上側の特殊線１９は例えば電線群８を配索し終えた後に電線群８の頂部に沿って配索するか、あるいは後述の布線治具（図４，図５）を用いて配索する。
【００５８】
図２（ｂ）の如く、上下の各特殊線１９は電線群８の中心を通る鉛直面上に位置し、図２（ａ）において大きな半径でスムーズに屈曲する（屈曲部を符号１９ａで示す）。例えば特殊線１９’を鎖線の如く電線群８の屈曲内側面に沿って配索した場合には、特殊線１９’が小さな半径で屈曲し、過大な曲げ応力を生じると共に、特殊線１９’の枝寸法すなわち分岐方向の長さが安定しなくなってしまう（例えば特殊線１９’を電線群８の屈曲内側面に沿って配索した場合は線長が長くなり、特殊線１９を電線群８の屈曲外側面に沿って配索した場合は線長が短くなる）。
【００５９】
図３（ａ）（ｂ）は、例えば布線後に布線治具１（図２）からワイヤハーネス２０を外した状態での特殊線１９の配索位置ごとの屈曲形態を示すものである。
【００６０】
図２（ａ）の実線の如く特殊線１９を電線群８の中心を通る鉛直面上に配置することで図２（ａ）の矢印方向に、図３（ａ）の如く電線群８を小さな半径で折り曲げるように屈曲させた際に、電線群８の屈曲内側面８ｃと屈曲外側面８ｄとの中間で特殊線１９がスムーズに撓んで曲がりを吸収しつつ電線群８よりも大径に屈曲して（屈曲部を符号１９ａで示す）、曲げ応力を軽減させる。特殊線１９は電線群８の屈曲部（交差部）８ｂにおいてはテープ巻き２０等で固定しないで露出させておくことが、電線群８の屈曲の影響を避ける上で好ましい。
【００６１】
図２（ａ）の鎖線の如く特殊線１９’を電線群８の屈曲内側面に沿って配索した場合は、図３（ｂ）の如く特殊線１９’が電線群８よりも小さな半径で屈曲して過大な曲げ応力や潰れ等を生じてしまう。
【００６２】
なお、図３においては、ワイヤハーネス２０を図２の布線治具１から外したものとして説明したが、図２の布線治具１にワイヤハーネス２０を布線した状態で分岐方向に大きく屈曲させた場合においても図３の状態となる。通常、布線板１２（図１）上において、車両等にワイヤハーネス２０を配索した時の形態で各電線を配索（布線）するが、布線板上におけるよりも車両等においてワイヤハーネス２０が小さな半径で屈曲した場合にも、図２の特殊線１９の配索形態は有効である。
【００６３】
図４（ａ）〜（ｃ），図５（ａ）（ｂ）は、本発明に係る布線治具の第二の実施形態を示すものである。この布線治具２１は特殊線（図示せず）を電線群（図示せず）の下側に限らず上側や周方向の任意の位置に配索可能としたものである。
【００６４】
図５（ｂ）に図４（ａ）のＣ−Ｃ断面を示す如く、布線治具２１は、支柱２２の上部に固定されたアウタ治具２３と、アウタ治具２３に周方向回動自在に保持されたインナ治具２４とで構成されている。各治具２３，２４は金属材ないし合成樹脂材で形成される。インナ治具２４は図１の実施形態の電線受け部３に対応するもので、電線受け部ないし電線受け部材と呼称することも可能である。支柱２２とインナ治具２４とアウタ治具２３とで布線治具本体が構成される。
【００６５】
アウタ治具２３は、図４（ｃ）の正面視で円形の環状壁２５を図４（ａ）の如く前後一対有し、前後の環状壁２５は垂直なスリット２６で前後に分割され、且つ図４（ｃ）の中央の水平な分割面２７で上下に分割され、中央に電線挿通方向の円形の孔部２８を有し、上半の壁部２５ａが右端側で図４（ａ）の平面視コの字状の操作レバーで連結され、上下の壁部２５ａ，２５ｂは左端のヒンジ３０で交互に連結され、ヒンジ３０は水平な軸孔３０ａを有し、図４（ｃ）の下半の壁部２５ｂの下端に幅狭の壁部３１が固定され、幅狭の壁部３１に支柱２２の上端が固定され、固定側の下半の壁部２５ｂに対して上半の壁部２５ａがヒンジ３０を支点に操作レバー２９で開閉自在となっている。
【００６６】
前後の壁部２５ａ，２５ｂの内側に、中央の孔部２８に連通して図５（ｂ）のインナ治具２４を周方向回動自在に保持する環状溝３２が設けられ、環状溝３２は、スリット２６側（内側）の幅広溝３２ａと、幅広溝３２ａの内周面と同一面上の内周面（符号３２で代用）を有する外側の幅狭溝３２ｂとで成る。
【００６７】
インナ治具２４は、アウタ治具２３の環状溝３２に周方向回動自在に係合した正面視円形（円筒状）の環状壁３３を備え、環状壁３３は正面視中央に図４（ｃ）の円形の一般電線挿通孔３４を有し、電線挿通孔３４はアウタ治具２３の孔部２８よりも小径であり、環状壁３３の前後端に図５（ｂ）の外周面３３ｃと同一面の円環状の鍔部３５を有し、環状壁３３の平面視中間部は図４（ａ）のアウタ治具２３のスリット２６内に露出し、図４（ｃ）の環状壁３３の正面視中央に、アウタ治具２３の分割面２７と同一面となる分割面３６を有している。
【００６８】
そして、アウタ治具２３の孔部２８内で、分割面２７とは９０°直交方向のインナ治具２４の下半の壁部３３ｂの電線挿通孔３４の下端に、図４（ｃ），図５（ａ）（ｂ）の断面矩形状の水平な特殊線配索溝３７が前後に貫通して設けられ、電線挿通孔３４の内周面３４ａに沿って金属製のばね状の区画板３８が湾曲状に配設されている。図４（ａ）の区画板３８はインナ治具２４の前後方向の幅と同等の幅を有している。
【００６９】
区画板３８が特殊線配索溝３７を覆って電線挿通孔３４とは区画分離させ、図４（ｃ）の特殊線配索溝３７の右側で区画板３８の基端部３８ａが一体のブラケット３９で下半の壁部３３ｂの例えば前端面にビス止めやハンダ付け等で固定され、特殊線配索溝３７の左側で区画板３８の自由端３８ｂが電線挿通孔３４の内面３４ａに弾性的に接触し、自由端３８ｂの持ち上げ操作で区画板３８が開き自在となっている。特殊線配索溝３７と区画板３８の作用効果は図１の実施形態におけると同様であるので説明を省略する。
【００７０】
さらに、図４（ａ）（ｃ）のスリット２６内で上下の壁部３３ａ，３３ｂの中間の右端に、図５（ａ）の分割面３６の上下に隣接して上下一対の真直な操作レバー４０が設けられ、操作レバー４０はアウタ治具２３の操作レバー２９よりも短く、操作レバー２９の内側を自在に通過自在であり、図４（ａ）のスリット２６内において各壁部３３ａ，３３ｂの左端にヒンジ４１が交互に設けられ、ヒンジ４１の軸孔４１ａとアウタ治具２３のヒンジ３０の軸孔３０ａとに同心に図５（ａ）の軸４２が一体（同時）に又は別体（別々）に挿入される。アウタ治具２３の内面３２に沿ってインナ治具２４の上下の各壁部３３ａ，３３ｂは各操作レバー４０で一体に周方向に回動自在であり、且つ下半の壁部３３ｂに対して上半の壁部３３ａを上側の操作レバー４０で開閉自在である。
【００７１】
アウタ治具２３とインナ治具２４とを図４（ｃ）の矢印Ｄ方向に開いた状態で、区画板３８を撓ませ開いてインナ治具２４の特殊線配索溝３７に特殊線を配索し、区画板３８を自身の弾性力で閉じ、インナ治具２４の電線挿通孔３４を分割して成る電線挿通溝に複数本の電線を配索し、複数本の電線で成る電線群と特殊線とを区画板３８で上下に区画した状態で、インナ治具２４を閉じ、アウタ治具２３を閉じて、アウタ治具２３でインナ治具２４を特殊線と一体に回動自在に保持する。特殊線は円形の電線挿通孔３４の内周面３４ａに沿って下向きにスライドさせつつ特殊線配索溝３７内にスムーズに挿入させることができる。
【００７２】
図４（ｃ）の特殊線配索溝３７を鉛直方向下側に配置した状態は図１の実施形態における特殊線配索溝５の位置と同じであり、特殊線は電線群の真下に配索される。この状態から上下のレバー４０の操作でインナ治具２４を矢印Ｄ方向に回動させることで、特殊線を電線挿通孔３４内の電線群に対して周方向の所望の位置に配置（配索）することができる。例えばインナ治具２４を１８０°回転させることで、特殊線を電線群の真上に配索することができ、これは図２の上側の特殊線１９に対応（相当）する。
【００７３】
特殊線を屈曲させずに真直に配索する場合は、例えばインナ治具２４を図４（ｃ）の状態から９０°又は２７０°矢印方向に回転させて、電線群に対して左右何れかの側部に特殊線を配索可能となる。このように、所望の角度でインナ治具２４を回動させて所望の位置に特殊線を配索することができる。何れの場合も特殊線を作業者が手で電線群に固定した状態でヒンジ４１を支点にインナ治具２４を開くことで、特殊線が区画板３８を径方向内向きに撓ませて特殊線配索溝３７からスムーズに離脱する。
【００７４】
なお、インナ治具２４の上下の壁部３３ａ，３３ｂを上下反転してアウタ治具２３に配置し、インナ治具２４とアウタ治具２３を開いた状態で、電線挿通孔（溝）３４に複数本の電線を配索し、開いた上側の壁部３３ｂの特殊線配索溝３７に特殊線を配索し、インナ治具２４とアウタ治具２３を閉じて、特殊線を電線群の上側に配置した状態で、インナ治具２４を１８０°ないし９０°回転させて特殊線を電線群の下方ないし側方に配置することも可能である。
【００７５】
また、上記布線治具２１を布線板上に数個（例えば三つ）並べて一直線上ないし折れ線上に配設し、中間（二番目）の布線治具２１のインナ治具（治具部）２４を回転させることで、インナ治具２４内の特殊線の軽微な切断長さ寸法誤差（長過ぎや短すぎ）を吸収させることが可能である。一枚の布線板には多数の布線治具（図１や図４等のものを混載可能）が配置されるが、少なくとも三つの連続（隣接）した布線治具２１においてこの長さ寸法誤差の吸収を行うことができる。
【００７６】
例えば、三つの布線治具２１を直線上に並べた場合に、各インナ治具２４の特殊線挿通溝３７を一直線上に配置する（例えば各特殊線挿通溝を真下に配置する）ことで、特殊線の配索長さは最短になり、その状態から中間の布線治具２１のインナ治具２４を回動させて、そのインナ治具２４の特殊線配索溝３７と他のインナ治具２４の特殊線配索溝３７とを結ぶ仮想線が折れ線となるようにする（例えば中間のインナ治具２４の特殊線配索溝３７のみを真上に配置する）ことで、特殊線が折れ線状に配索されて、特殊線の配索長さが長く（最長に）なる。特殊線の配索長さは、中間のインナ治具２４を１８０°の範囲で回動させる角度が大きくなればなる程、長くなる。このようにして特殊線の長さ寸法誤差を吸収調整することができる。
【００７７】
三つの布線治具２１を折れ線上に並べた場合（例えば中間の布線治具２１を他の前後二つの布線治具２１よりも右側に偏心して配置した場合）は、例えば前後端の二つのインナ治具２４の特殊線配索溝３７を右端に配置し、中間のインナ治具２４の特殊線配索溝３７を左端に配置することで、特殊線の配索長さが最短となり、逆に、前後端の二つのインナ治具２４の特殊線配索溝３７を左端に配置し、中間のインナ治具２４の特殊線配索溝３７を右端に配置することで、特殊線の配索長さが最長となる。このように三つの各インナ治具２４の回動角度を適宜変えることで、特殊線の布線長さを微調整（寸法誤差吸収）することができる。
【００７８】
また、インナ治具２４の特殊線配索溝３７から前後方向（電線挿通方向）に図１の特殊線ガイド板４３と同様な特殊線ガイド部（図示せず）を突出させて設けることも有効である。特殊線ガイド部は図１の例で説明した各種形態のものを適用可能である。
【００７９】
また、図４の布線治具２１における各操作レバー２９，４０を排除して、アウタ治具２３とインナ治具２４との外周部に別体の操作レバー（図示せず）を挿入係合させる穴部（図示せず）を設けることも可能である。また、アウタ治具２３の操作レバー２９をコの字状ではなく前後一対の真直なものとしてもよい。また、アウタ治具２３の操作レバー２９を排除して、アウタ治具２３の上半の前後一対の壁部２５ａを手で直接開閉させることも可能である。また、アウタ治具２３の環状壁２５の外周面は円形に限らず矩形状とすることも可能である。
【００８０】
また、上記した本発明の構成は、布線治具とそれを用いたハーネス配索構造として以外に、布線治具を用いたハーネス配索方法等としても有効なものである。
【産業上の利用可能性】
【００８１】
本発明に係る布線治具とそれを用いたハーネス配索構造は、複数本の電線（電線群）に対して特殊電線や光ケーブルやホース等といった特殊線を電線群の屈曲時の大きな曲げ応力を受けにくい位置に配索するために利用することができる。
【符号の説明】
【００８２】
１，２１  布線治具
２        布線治具本体
３        電線受け部
４        底部
５，３７  特殊線配索溝
７，３８  区画板
８        一般電線群
８ｃ      屈曲内側面
８ｄ      屈曲外側面
１９      特殊線
２３      アウタ治具
２４      インナ治具
２５      環状壁
２６      スリット
３４      一般電線挿通孔
４０      操作レバー
４３      特殊線ガイド板（特殊線ガイド部）
【図１】
2011198668.tif 000003
【図２】
2011198668.tif 000004
【図３】
2011198668.tif 000005
【図４】
2011198668.tif 000006
【図５】
2011198668.tif 000007
【図６】
2011198668.tif 000008
【図７】
2011198668.tif 000009